(57)【要約】  本発明は、細長いハンドル部を有する取り外し可能な調理器具ハンドルに関する。細長いハンドル部は、第１の端部および第２の端部を有し、ハンドル部の第１の端部には、調理器具容器上の取付点への取り外し可能な取付手段、および取り外し可能なハンドルを取付点に係止するための係止手段がある。調理器具容器上の取付点は、調理器具容器の側壁に取り付けられた垂下部と、垂下部の上縁部にあり、調理器具容器の側壁から外側に延在するフランジとを有するブラケットを備える。非円形の細長い開口部は、フランジを貫通して中央に位置し、全体的に長手方向軸が調理器具容器の側壁に対して略平行であるように配向される。開口部は、ハンドル上の取り外し可能な取付手段と係合するようなサイズおよび形状を有する。【選択図】図４
2021520966.tif 000002
【特許請求の範囲】
【請求項１】
調理器具容器上の取付点への取り外し可能な取付のための取り外し可能なハンドルであって、
第１の端部および第２の端部を有する細長いハンドル部を備え、前記ハンドル部の前記第１の端部には、前記調理器具容器上の前記取付点への取り外し可能な取付手段、および前記取り外し可能なハンドルを前記取付点に係止するための係止手段があり、前記調理器具容器上の前記取付点は、前記調理器具容器の側壁に取り付けられた垂下部と、前記垂下部の上縁部にあり、前記調理器具容器の前記側壁から外側に延在するフランジとを有するブラケットを備え、前記フランジを貫通して中央に位置する非円形開口部が設けられ、前記開口部は、前記ハンドル上の前記取り外し可能な取付手段と係合するようなサイズおよび形状を有し、前記取付点への前記取り外し可能な取付手段は、上面ならびに底面および第１の端部ならびに第２の端部を有する水平本体部を備え、前記第１の端部に隣接する前記本体部の前記底面には、前記本体部の厚肉部分があり、前記厚肉部分は、前記フランジ上の前記非円形開口部とぴったりと合うようなサイズおよび形状を有し、水平タブ部が前記本体部の前記厚肉部分の底面から外側に延在して、前記厚肉本体部分が前記フランジの前記非円形開口部内に位置するときに前記調理器具容器に向かって前記フランジの前記底面の下に延在し、前記取り外し可能なハンドルを前記取付点に係止するための前記係止手段は、係止解除位置から、前記係止バーの端部が前記フランジの前記底面の下方に位置し、前記底部と接触する係止位置へと水平方向に移動可能である細長い係止バーを備える、取り外し可能なハンドル。
【請求項２】
前記非円形開口部は、細長い形状であり、全体的に長手方向軸が前記調理器具容器の前記細長いハンドル部の長手方向軸に対して垂直であるように配向される、請求項１に記載の取り外し可能なハンドル。
【請求項３】
前記取り外し可能なハンドルは、さまざまなサイズおよび重量の調理器具容器に接続するようにサイズ設定され、適合される、請求項１または請求項２に記載の取り外し可能なハンドル。
【請求項４】
前記細長い係止バーは、前記係止位置へと付勢される、請求項１または請求項２に記載の取り外し可能なハンドル。
【請求項５】
前記アクチュエータは、ユーザの指との係合を可能にするようなサイズおよび形状を有する、請求項１〜請求項４のいずれか一項に記載の取り外し可能なハンドル。
【請求項６】
前記アクチュエータは、前記アクチュエータの偶発的なトリガを防止し、かつ前記調理器具容器上の前記取付点からの前記取り外し可能なハンドルの偶発的な離脱を防止するために、ユーザの親指を自然に置いた位置の外側に配置される、請求項１〜請求項５のいずれか一項に記載の取り外し可能なハンドル。
【請求項７】
前記細長い係止バーは、前記細長い係止バーに接続された前記アクチュエータによって作動されたときに、前記ハンドル部内の軸方向チャネル内で移動可能である、請求項１〜請求項６のいずれか一項に記載の取り外し可能なハンドル。
【請求項８】
ステムが、前記軸方向チャネルと連通し前記アクチュエータに接続される前記細長いハンドル部の前記底面のスロットを貫通して、前記細長いロックバーから垂下する、請求項７に記載の取り外し可能なハンドル。
【請求項９】
前記アクチュエータ上のトリガ部は、ユーザの指が前記調理器具容器に近づき過ぎるのを防止するのに十分な高さを有する、請求項８に記載の取り外し可能なハンドル。
【請求項１０】
前記細長いハンドル部は、前記第１の端部から前記第２の端部まで真っ直ぐである、請求項１〜請求項９のいずれか一項に記載の取り外し可能なハンドル。
【請求項１１】
前記細長いハンドル部は、その長さに沿って湾曲している、請求項１〜請求項９のいずれか一項に記載の取り外し可能なハンドル。
【請求項１２】
前記水平本体部は、単純な締結具または複数のねじを用いて、前記細長いハンドル部内の前記スロット内に固定される、請求項１〜請求項１１のいずれか一項に記載の取り外し可能なハンドル。
【請求項１３】
前記水平本体部の前記底面は、面取り縁を有する、請求項１〜請求項１２のいずれか一項に記載の取り外し可能なハンドル。
【請求項１４】
前記水平体部の前記厚肉本体部分の前記底面は、面取り縁を有する、請求項１〜請求項１３のいずれか一項に記載の取り外し可能なハンドル。
【請求項１５】
前記水平本体部の前記水平タブの前記底面は、面取り縁を有する、請求項１〜請求項１４のいずれか一項に記載の取り外し可能なハンドル。
【請求項１６】
前記細長いハンドル部は、耐熱伝導性材料から製造される、請求項１〜請求項１５のいずれか一項に記載の取り外し可能なハンドル。
【請求項１７】
前記細長いハンドル部は、高温ナイロンから製造される、請求項１６に記載の取り外し可能なハンドル。
【請求項１８】
前記アクチュエータは、高温ナイロンで構成される、請求項１〜請求項１７のいずれか一項に記載の取り外し可能なハンドル。
【請求項１９】
前記ステムは、ステンレス鋼で構成される、請求項１８に記載の取り外し可能なハンドル。
【請求項２０】
前記細長い係止バーは、ステンレス鋼で構成される、請求項１〜請求項１９のいずれか一項に記載の取り外し可能なハンドル。
【請求項２１】
前記水平本体部は、ステンレス鋼で構成される、請求項１〜請求項２０のいずれか一項に記載の取り外し可能なハンドル。
【請求項２２】
前記フランジは、ステンレス鋼で構成される、請求項１〜請求項２１のいずれか一項に記載の取り外し可能なハンドル。
【発明の詳細な説明】
【技術分野】
【０００１】
本発明は、全般的には、取り外し可能な調理器具ハンドル（または取り外し可能なハンドル）の改良設計に関する。
【背景技術】
【０００２】
取り外し可能なハンドルを有する調理器具、より具体的には、取り外し可能な調理器具ハンドルは、調理器具のよりコンパクトで、有効で効率的な収納を可能にするために使用される。取り外し可能なハンドルの調理器具は、典型的には、異なるサイズの一組の容器と、容器のフランジと接続する取付端部を有する取り外し可能なハンドルとで構成される。取り外し可能なハンドルは、受容可能な取付点を有する全ての容器に対して該ハンドルを使用することができるので、スペースおよびお金を節約するための効率的な方法として使用される。
【０００３】
既知の取り外し可能なハンドルは、取付点との接続が緩くなり、ハンドルが係合されたときに容器の望ましくない動きを引き起こす。
【０００４】
既知の取り外し可能なハンドル上の係止／係止解除ボタンの通常の位置は、ユーザが通常、親指を置くハンドルの上面に位置し、したがって、偶発的な離脱を生じやすい。
【発明の概要】
【発明が解決しようとする課題】
【０００５】
本発明は、対応する容器への取付点においてユーザフレンドリかつ確実な接続を形成する取り外し可能なハンドルを提供する。
【課題を解決するための手段】
【０００６】
一実施形態では、調理器具容器上の取付点への取り外し可能な取付のための取り外し可能なハンドルは、細長いハンドル部を備える。細長いハンドル部は、第１の端部および第２の端部を有し、ハンドル部の第１の端部には、調理器具容器上の取付点への取り外し可能な取付手段、および取り外し可能なハンドルを取付点に係止するための係止手段がある。調理器具容器上の取付点は、調理器具容器の側壁に取り付けられた垂下部と、垂下部の上縁部にあり、調理器具容器の側壁から外側に延在するフランジとを有するブラケットを備える。非円形の細長い開口部は、フランジを貫通して中央に位置し、全体的に長手方向軸が細長いハンドル部の長手方向軸に対して略垂直であり、調理器具容器の側壁に対して略平行であるように配向される。開口部は、ハンドル上の取り外し可能な取付手段と係合するようなサイズおよび形状を有する。
【０００７】
取付点への取り外し可能な取付手段は、上面ならびに底面および第１の端部ならびに第２の端部を有する水平本体部を備える。第１の端部に隣接する本体部の底面には、本体部の厚肉部分があり、前記厚肉部分は、フランジ上の開口部とぴったりと合うようなサイズおよび形状を有し、図示されている実施形態では、フランジの底面の下方に延在する。図示されている実施形態の水平本体部の第１の端部において、水平タブ部が、本体部の厚肉部分の底面から外側に延在して、厚肉本体部分がフランジ上の開口部内に位置するときにフランジの底面の下に延在する。
【０００８】
本発明の一実施形態では、取り外し可能なハンドルは、取り外し可能なハンドルを確実に定位置で保持するのを助けると同時に、容易な取り外しを可能にするための係止機構を用いて、取付点に接続する。
【０００９】
取り外し可能なハンドルを確実に定位置で保持するのを助けると同時に容易な取り外しを可能にする係止機構は、係止解除位置から係止位置へと水平方向に移動可能な細長い係止バーを備え、係止位置では、係止バーの端部は、取付点のフランジの底面の下方に位置してフランジの底面と接触し、細長い係止バーは係止位置へと付勢される。
【００１０】
細長い係止バーを係止解除位置から係止位置へと水平方向に移動させるための手段は、アクチュエータを備え、アクチュエータは、アクチュエータの偶発的な動きを防止し、かつ調理器具容器上の取付点からの取り外し可能なハンドルの偶発的な離脱を防止するために、ユーザの親指を自然に置いた位置から離れて配置される。アクチュエータのトリガ部は、ユーザの指との係合を可能にするようなサイズおよび形状を有する。アクチュエータ上のトリガ部は、ユーザの手が調理器具容器に近づき過ぎるのを防止するのに十分な高さを有する。
【００１１】
取り外し可能なハンドルは、スペースを節約し、係合されたときに容器と確実にかつ強固に接続するために使用され得る。
【００１２】
取り外し可能なハンドルは多用途性を提供する。つまり、該調理器具容器は、ハンドルを取り外すことができることにより、ユーザはテーブル上および冷蔵庫内における表面積を節約することができるため、食事作りおよび食事の提供または貯蔵の両方に使用され得る。
【００１３】
別の実施形態では、調理器具容器上の取付点への取り外し可能な取り付けのための取り外し可能なハンドルは、細長いハンドル部を備え、細長いハンドル部は、第１の端部および第２の端部を有する。ハンドル部の第１の端部には、調理器具容器上の取付点への取り外し可能な取付手段、および取り外し可能なハンドルを取付点に係止するための係止手段がある。調理器具容器上の取付点は、調理器具容器の側壁に取り付けられた垂下部と、垂下部の上縁部にあり、調理器具容器の側壁から外側に向かって延在するフランジとを有するブラケットを備える。中央に位置する非円形開口部は、フランジを貫通して設けられる。開口部は、ハンドル上の取り外し可能な取付手段と係合するようなサイズおよび形状を有する。取付点への取り外し可能な取付手段は、上面ならびに底面および第１の端部ならびに第２の端部を有する水平本体部を備える。第１の端部に隣接する本体部の底面には、本体部の厚肉部分がある。厚肉部分は、フランジ上の非円形開口部とぴったり合うようなサイズおよび形状を有する。水平タブ部は、本体部の厚肉部分から外側に延在して、厚肉本体部分がフランジ上の非円形開口部内に位置するときに調理器具容器に向かってフランジの底面の下に延在する。取り外し可能なハンドルを取付点に係止するための係止手段には、係止解除位置から係止位置へと水平方向に移動可能な細長い係止バーが設けられ、係止バーの端部はフランジの底面の下方に位置し、フランジの底面と接触する。
【００１４】
本発明のさらなる特徴は、以下の詳細な説明の中で説明される、または明らかになるであろう。
【００１５】
本発明をより明確に理解できるように、本発明の好適な実施形態を、添付図面を参照しながら、例として詳細に説明する。
【図面の簡単な説明】
【００１６】
【図１】容器の取付点に接続され係合された、本発明に係る取り外し可能なハンドルの一実施形態の概略斜視図である。
【図２】図１の取り外し可能なハンドルおよび取付点の組立図である。
【図３】図１に示されている取り外し可能なハンドルおよび取付点の上面図である。
【図４】図３の線Ａ−Ａに沿った取り外し可能なハンドルおよび取付点の断面図である。
【図５】図３の取り外し可能なハンドルおよび取付点の正面図である。
【図６】図３の取り外し可能なハンドルおよび取付点の右側面図である。
【図７】図３の取り外し可能なハンドルおよび取付点の底面斜視図である。
【図８】本発明に係る、調理器具容器へ接続するように意図されたより堅牢な取り外し可能なハンドルおよびブラケットの形態の取付点の組立図である。
【図９】取付点に接続された図８の取り外し可能なハンドルの上面図である。
【図１０】図９の線Ａ−Ａに沿った取り外し可能なハンドルおよび取付点の断面図である。
【００１７】
同様の参照番号は、異なる図面において同様の構成要素を示すために使用されている。
【発明を実施するための形態】
【００１８】
図１を参照すると、本発明に係る１組の容器内の１つの調理器具容器に取り付けられた状態で示された取り外し可能なハンドルの一実施形態は、全体が１で示されている。図示されている実施形態の取り外し可能なハンドル１は、対応する調理器具のサイズ範囲に応じて変化し得る長さおよび幅を有する細長いハンドル部２を備える。細長いハンドル部２は、第１の端部５および第２の端部６を有する。図示されている実施形態は、ハンドル部２が第１の端部５から第２の端部６まで真っ直ぐな形で示されているが、端から端までわずかに湾曲していてもよい。細長いハンドル部２の第１の端部５には、対応する調理器具容器４上の取付点３に対する取り外し可能な取付手段（全体が２Ａで示されている）、および取り外し可能なハンドル１を取付点３に係止するための係止手段がある。
【００１９】
調理器具容器４上の取付点３は、調理器具容器４の側壁７に取り付けられた垂下部１０と、垂下部１０の上縁部９にあり、調理器具容器４の側壁７から外側に延在するフランジ８とを有するブラケット３０から成る。中央に位置する非円形開口部１１は、フランジ８を貫通して設けられる。図示されている実施形態の開口部１１は、細長い形状であり、全体的に長手方向軸が細長いハンドル部の長手方向軸に対して垂直であり、調理器具容器４の側壁７に対して略平行であるように配向される。開口部１１は、ハンドル上の取り外し可能な取付手段と係合するようなサイズおよび形状を有する。
【００２０】
図２、図３、および図３の線Ａ−Ａに沿った取り外し可能なハンドルおよび取付点の断面図である図４を参照すると、対応する調理器具容器４上の取付点３への取り外し可能な取付手段２Ａ、および取り外し可能なハンドルをハンドル部２の第１の端部５に隣接して位置する取付点に係止するための係止手段がある。取付点３への取り外し可能な取付手段２Ａは、上面１３ならびに底面１４および第１の端部１５ならびに第２の端部１６を有する水平本体部１２を備える。
【００２１】
第１の端部１５に隣接する本体部１２の底面１４には、本体部１２の厚肉部分１７があり、前記厚肉部分１７は、フランジ８上の開口部１１とぴったりと合うようなサイズおよび形状を有し、図示されている実施形態では、フランジ８の底面１８の下方に延在する。第１の端部１５、厚肉部分１７、および開口部１１の幅は、取付点に対する取り外し可能なハンドルの任意の揺れ、左右の揺動、または意図しない横方向の動きを最小限に抑えるようなサイズおよび形状を有する。図示されている実施形態では、細長い開口部１１の長さは幅の約２倍であり、細長い開口部１１は丸い角部を有し、本体部１２の第１の端部１５および厚肉部分１７の幅はフランジ８の幅より狭い。厚肉部分１７の水平断面は、フランジ８の開口部１１の中にぴったりと収まるように、開口部１１と同じ形状を有し、開口部１１よりもわずかに小さい。水平タブ部１９は、本体部１２の厚肉部分１７の底面１４に隣接する本体部１２の第１の端部１５から外側に延在して、厚肉本体部分１７がフランジ８上の開口部１１内に位置するときに、調理器具容器４に向かってフランジ８の底面１８の下に延在する。
【００２２】
図２を参照すると、本体部１２の第２の端部１６には、取り外し可能なハンドルを取付点３に係止するための係止手段（全体が２Ｂで示されている）を収容するための開口部２１を有する垂下ガイドフランジ２０がある。取り外し可能なハンドルを取付点３に係止するための係止手段２Ｂは、細長い係止バー２２を備え、係止バー２２は、係止解除位置から、係止バー２２の端部２３がフランジ８の底面１８の下方に位置し、フランジ８の底面１８と接触する係止位置へと、ガイドフランジ２０内の開口部２１を通って水平方向に移動可能である。図４に最もわかりやすく示されているように、ハンドル部２内の軸方向チャネル３１により、細長い係止バー２２は係止解除位置から係止位置へと水平方向に移動することが可能になる。チャネル３１の端部に位置するばね２４は、細長い係止バー２２を係止位置へと付勢する。
【００２３】
アクチュエータ２５は、細長い係止バー２２の底面に位置し、ハンドル部２の下に垂下することにより、アクチュエータ２５を引き戻して細長い係止バー２２を係止解除位置へと移動させ、取り外し可能なハンドル１を取り外すことができるようになっている。アクチュエータ２５は、アクチュエータ２５の偶発的な動きを防止し、かつ調理器具容器４上の取付点３からの取り外し可能なハンドル１の偶発的な離脱を防止するために、ユーザの親指を自然に置いた位置から離れて細長いハンドルの底部に配置される。アクチュエータ２５を引き戻すことができるように、ハンドル部２の底面には、軸方向チャネル３１と連通するスロット２２Ａがある。ステム２６は、細長い係止バー２２から下方に、ハンドル部２の底面のスロット２２Ａを貫通して延在している。ステム２６の遠位端２７には、ユーザの指と係合することができるようなサイズおよび形状のトリガ部２８がある。アクチュエータ上のトリガ部２８は、ユーザの手が調理器具容器４に近づき過ぎるのを防止するのに十分な高さを有する。
【００２４】
取付点３への取り外し可能な取付手段２Ａは、任意の適切な手段によってハンドル部２に締結される。図示されている実施形態では、タブ３２は、水平本体部１２の第２の端部１６から外側に延在し、ハンドル部２の第１の端部５内の対応するサイズのスロット２９に収まるようなサイズおよび形状を有する（図４を参照）。タブ３２は、任意の好適な締結具または接着剤によってスロット２９内に固定される。
【００２５】
フランジ８内の開口部１１および本体部１２の厚肉部分１７は、確実な接続を形成するようなサイズおよび形状を有する必要がある。図示されている実施形態では、上述したように、本体部１２の第１の端部１５および厚肉部分１７の幅は、フランジ８の幅よりも狭い。厚肉部分１７の水平断面は、フランジ８内の開口部１１の中にぴったりと収まるように、開口部１１と同じ形状を有し、開口部１１よりもわずかに小さい。取り外し可能なハンドル１を取付点３に取り付けるために、水平タブ部１９および本体部１２の厚肉部分１７は、水平タブ部１９がフランジ８の底面１８の下に延在するように、傾斜してフランジ８上の開口部１１へと挿入される。同時に、アクチュエータ２５のトリガ部２８は、本体部１２の底面がフランジ８の上面に接触することができるように、引き戻される。フランジ８の底面の下に水平タブ部１９を有する取り外し可能なハンドル１は、本体部１２の厚肉部分１７が開口部１１の中にぴったりと配置された状態で、上側本体部１２がフランジ８の上面に載るように、下げられる。トリガ部２８は、その後、外され、細長い係止バー２２は、スロット２２Ａの端部２２Ｂに対してアクチュエータ２５が止まった状態で、ロック解除位置から、フランジ８の底面の下の係止位置へのばね付勢によって水平方向に移動する。
【００２６】
ハンドル１は、フランジ８の下の係止位置から係止解除位置へと細長い係止バー２２を引くアクチュエータ２５のトリガ部２８を引くことによって、容器４から外される。図示されている実施形態では、ハンドル１は、その後、水平タブ部１９および本体部１２の厚肉部分１７がフランジ８上の開口部１１から外れるように傾斜して上方へ持ち上げられる。この実施形態では、トリガ部２８は引き戻されるが、ハンドル１が上向きに傾斜していなければ、ハンドル１は外れない。これは、この実施形態では、容器４を持ち上げている間に確実にハンドル１が偶発的に外れることがないようにするための安全機能である。
【００２７】
図示されている実施形態では、水平本体部１２、細長い係止バー２２、およびブラケット３０は、ステンレス鋼から製造される。アクチュエータおよび細長いハンドル部２は、非熱伝導性材料、例えば、ベークライト（登録商標）のような高温ナイロンから製造される。
【００２８】
図８〜図１０を参照すると、全体が１００で示され、より大きな調理器具との使用に潜在的に適応した少しロバストな設計を有する、本発明に係る取り外し可能なハンドルの別の実施形態が示されている。図示されている実施形態の取り外し可能なハンドル１００は、対応する調理器具のサイズ範囲に応じて変化し得る長さおよび幅を有する細長いハンドル部１０２を備える。細長いハンドル部１０２は、第１の端部１０５および第２の端部１０６を有する。図示されている実施形態は、ハンドル部１０２が第１の端部１０５から第２の端部１０６まで真っ直ぐな形で示されているが、端から端までわずかに湾曲していてもよい。細長いハンドル部１０２の第１の端部１０５には、対応する調理器具容器（図示せず）上の取付点１０３に対する取り外し可能な取付手段、および取り外し可能なハンドル１００を取付点１０３に係止するための係止手段がある。
【００２９】
調理器具容器上の取付点１０３は、調理器具容器の側壁に取り付けられた垂下部１１０と、垂下部１１０の上縁部１０９にあり、調理器具容器の側壁から外側に延在するフランジ１０８とを有するブラケット１３０を備える。中央に位置する非円形開口部１１１は、フランジ１０８を貫通して設けられる。図示されている実施形態の開口部１１１は、細長い形状であり、全体的に長手方向軸が細長いハンドル部の長手方向軸に対して垂直であり、調理器具容器の側壁に対して略平行であるように配向される。開口部１１１は、ハンドル上の取り外し可能な取付手段と係合するようなサイズおよび形状を有する。
【００３０】
図９および図９の線Ａ−Ａに沿った取り外し可能なハンドルおよび取付点の断面図である図１０を参照すると、対応する調理器具容器上の取付点１０３への取り外し可能な取付手段（全体が１０２Ａで示されている）、および取り外し可能なハンドルをハンドル部１０２の第１の端部１０５に隣接して位置する取付点１０３に係止するための係止手段（全体が１０２Ｂで示されている）がある。取付点１０３への取り外し可能な取付手段１０２Ａは、上面１１３ならびに底面１１４および第１の端部１１５ならびに第２の端部１１６を有する水平本体部１１２を備える。水平本体部の底面１１４は、開口部１１１へのより滑らかな進入のための面取り縁１１４Ａを有する。
【００３１】
第１の端部１１５に隣接する本体部１１２の底面１１４には、本体部１１２の厚肉部分１１７があり、前記厚肉部分１１７は、フランジ１０８上の開口部１１とぴったりと合うようなサイズおよび形状を有し、図示されている実施形態では、フランジ１０８の底面１１８の下方に延在し、開口部１１１へのより滑らかな進入のための面取り縁１１７Ａを有する。第１の端部１１５、厚肉部分１１７、および開口部１１１の幅は、取付点に対する取り外し可能なハンドルの任意の揺れ、左右の揺動、または意図しない横方向の動きを最小限に抑えるようなサイズおよび形状を有する。図示されている実施形態では、細長い開口部１１１の長さは幅の約２倍であり、細長い開口部１１１は丸い角部を有し、本体部１１２の第１の端部１１５および厚肉部分１１７の幅はフランジ１０８の幅より狭い。厚肉部分１１７の水平断面は、フランジ１０８の開口部１１１の中にぴったりと収まるように、開口部１１と同じ形状を有し、開口部１１１よりもわずかに小さい。水平タブ部１１９は、本体部１１２の厚肉部分１１７の底面１１４に隣接する本体部１１２の第１の端部１１５から外側に延在して、厚肉本体部分１１７がフランジ１０８上の開口部１１１内に位置するときに、調理器具容器に向かってフランジ１０８の底面１１８の下に延在する。水平タブ部１１９は、開口部１１１へのより滑らかな進入のための面取り縁１１９Ａを有する。
【００３２】
図８および図１０を参照すると、本体部１１２の第２の端部１１６には、取り外し可能なハンドルを取付点１０３に係止するための係止手段１０２Ｂを収容するための開口部１２１を有する垂下ガイドフランジ１２０がある。取り外し可能なハンドルを取付点１０３に係止するための係止手段１０２Ｂは、細長い係止バー１２２を備え、係止バー１２２は、係止解除位置から、係止バー１２２の端部１２３がフランジ１０８の底面１１８の下方に位置し、フランジ１０８の底面１１８と接触する係止位置へと、ガイドフランジ１２０内の開口部１２１を通って水平方向に移動可能である。図１０に最もわかりやすく示されているように、ハンドル部１０２内の軸方向チャネル１３１により、細長い係止バー１２２は係止解除位置から係止位置へと水平方向に移動することが可能になる。チャネル１３１の端部に位置するばね１２４は、細長い係止バー１２２を係止位置へと付勢する。
【００３３】
アクチュエータ１２５は、細長い係止バー１２２の底面に位置し、ハンドル部１０２の下に垂下することにより、アクチュエータ１２５を引き戻して細長い係止バー１２２を係止解除位置へと移動させ、取り外し可能なハンドル１００を取り外すことができるようになっている。アクチュエータ１２５を引き戻すことができるように、ハンドル部１０２の底面には、軸方向チャネル１３１と連通するスロット１２２Ａがある。ステム１２６は、細長い係止バー１２２から下方に、ハンドル部１０２の底面のスロット１２２Ａを貫通して延在している。ステム１２６の遠位端１２７には、ユーザの指と係合することができるようなサイズおよび形状のトリガ部１２８がある。
【００３４】
取付点への取り外し可能な取付手段は、任意の適切な手段によってハンドル部１０２に締結される。図示されている実施形態では、タブ１３２は、水平本体部１１２の第２の端部１１６から外側に延在し、ハンドル部１０２の第１の端部１０５の対応するサイズのスロット１２９に収まるようなサイズおよび形状を有する（図１０を参照）。タブ１３２は、任意の好適な締結具または接着剤によってスロット１２９内に固定される。図示されている実施形態では、２つの締結具１３３、１３４は、タブ１３２をスロット１２９内で保持する。
【００３５】
フランジ１０８内の開口部１１１および本体部１１２の厚肉部分１１７は、確実な接続を形成するようなサイズおよび形状を有する必要がある。図示されている実施形態では、上述したように、本体部１１２の第１の端部１１５および厚肉部分１１７の幅は、フランジ１０８の幅よりも狭い。厚肉部分１１７の水平断面は、フランジ１０８内の開口部１１１の中にぴったりと収まるように、開口部１１と同じ形状を有し、開口部１１１よりもわずかに小さい。取り外し可能なハンドル１００を取付点１０３に取り付けるために、水平タブ部１１９および本体部１１２の厚肉部分１１７は、水平タブ部１１９がフランジ１０８の底面１１８の下に延在するように、傾斜してフランジ１０８上の開口部１１１へと挿入される。同時に、アクチュエータ１２５のトリガ部１２８は、本体部１１２の底面がフランジ１０８の上面に接触することができるように、引き戻される。フランジ１０８の底面の下に水平タブ部１１９を有する取り外し可能なハンドル１００は、本体部１１２の厚肉部分１１７が開口部１１１の中にぴったりと配置された状態で、上側本体部１１２がフランジ１０８の上面に載るように、下げられる。トリガ部１２８は、その後、外され、細長い係止バー１２２は、ロック解除位置から、フランジ１０８の底面の下の係止位置へのばね付勢によって水平方向に移動する。
【００３６】
ハンドル１００は、フランジ１０８の下の係止位置から係止解除位置へと細長い係止バー１２２を引くアクチュエータ１２５のトリガ部１２８を引くことによって、容器から外される。ハンドル１００は、その後、水平タブ部１１９および本体部１１２の厚肉部分１１７がフランジ１０８上の開口部１１１から外れるように傾斜して上方へ持ち上げられる。
【００３７】
図示されている実施形態では、水平本体部１１２、細長い係止バー１２２、およびブラケット１３０は、ステンレス鋼から製造される。アクチュエータおよび細長いハンドル部１０２は、非熱伝導性材料、例えば、ベークライト（登録商標）のような高温ナイロンから製造される。
【００３８】
特定の実施形態に関連して本発明の原理が示され、説明されているが、そのような実施形態は、上述の説明から明らかなように、一例であって、限定的なものではなく、本発明の特定の態様は、図面に示されている特定の詳細によって制限されるものではないことを理解されたい。他の修正および応用、または均等物が、当業者に想起されるであろう。上述の明細書内で使用される「有する」、「備える」ならびに「含む」および類似の用語は、「随意選択の」または「を含み得る」という意味で使用され、「必須の」の意味として使用されていない。しかしながら、本発明の構成の多くの変更、修正、変形および他の用途ならびに応用は、本明細書および添付図面を考察した後に当業者に明らかになるであろう。本発明の精神および範囲から逸脱しない全てのそのような変更、修正、変形および他の用途および応用は、以下の請求項によってのみ限定される本発明によって網羅されるものとみなす。本開示の範囲は、本明細書内で示されている実施形態に限定されることを意図するものではなく、単数形の要素の言及は、特に明記されていない限り、「１つおよび唯一の」の意味を指すのではなく、むしろ「１つまたは複数」の意味を示すものとする。当業者に周知のまたは後に知られるようになる、本開示全体を通して記載されている実施形態の要素の全ての構造的および機能的均等物は、参照によって本明細書に明確に組み込まれ、請求項によって包含されるものとする。
【図１】
2021520966.tif 000003
【図２】
2021520966.tif 000004
【図３】
2021520966.tif 000005
【図４】
2021520966.tif 000006
【図５】
2021520966.tif 000007
【図６】
2021520966.tif 000008
【図７】
2021520966.tif 000009
【図８】
2021520966.tif 000010
【図９】
2021520966.tif 000011
【図１０】
2021520966.tif 000012
【手続補正書】
【提出日】令和2年5月11日(2020.5.11)
【手続補正１】
【補正対象書類名】明細書
【補正対象項目名】全文
【補正方法】変更
【補正の内容】
【発明の詳細な説明】
【技術分野】
【０００１】
本発明は、全般的には、取り外し可能な調理器具ハンドル（または取り外し可能なハンドル）の改良設計に関する。
【背景技術】
【０００２】
取り外し可能なハンドルを有する調理器具、より具体的には、取り外し可能な調理器具ハンドルは、調理器具のよりコンパクトで、有効で効率的な収納を可能にするために使用される。取り外し可能なハンドルの調理器具は、典型的には、異なるサイズの一組の容器と、容器のフランジと接続する取付端部を有する取り外し可能なハンドルとで構成される。取り外し可能なハンドルは、受容可能な取付点を有する全ての容器に対して該ハンドルを使用することができるので、スペースおよびお金を節約するための効率的な方法として使用される。
【０００３】
既知の取り外し可能なハンドルは、取付点との接続が緩くなり、ハンドルが係合されたときに容器の望ましくない動きを引き起こす。
【０００４】
既知の取り外し可能なハンドル上の係止／係止解除ボタンの通常の位置は、ユーザが通常、親指を置くハンドルの上面に位置し、したがって、偶発的な離脱を生じやすい。
【発明の概要】
【発明が解決しようとする課題】
【０００５】
本発明は、対応する容器への取付点においてユーザフレンドリかつ確実な接続を形成する取り外し可能なハンドルを提供する。
【課題を解決するための手段】
【０００６】
一実施形態では、調理器具容器上の取付点への取り外し可能な取付のための取り外し可能なハンドルは、細長いハンドル部を備える。細長いハンドル部は、第１の端部および第２の端部を有し、ハンドル部の第１の端部には、調理器具容器上の取付点への取り外し可能な取付手段、および取り外し可能なハンドルを取付点に係止するための係止手段がある。調理器具容器上の取付点は、調理器具容器の側壁に取り付けられた垂下部と、垂下部の上縁部にあり、調理器具容器の側壁から外側に延在するフランジとを有するブラケットを備える。非円形の細長い開口部は、フランジを貫通して中央に位置し、全体的に長手方向軸が細長いハンドル部の長手方向軸に対して略垂直であり、調理器具容器の側壁に対して略平行であるように配向される。開口部は、ハンドル上の取り外し可能な取付手段と係合するようなサイズおよび形状を有する。
【０００７】
取付点への取り外し可能な取付手段は、上面ならびに底面および第１の端部ならびに第２の端部を有する水平本体部を備える。第１の端部に隣接する本体部の底面には、本体部の厚肉部分があり、前記厚肉部分は、フランジ上の開口部とぴったりと合うようなサイズおよび形状を有し、図示されている実施形態では、フランジの底面の下方に延在する。図示されている実施形態の水平本体部の第１の端部において、水平タブ部が、本体部の厚肉部分の底面から外側に延在して、厚肉本体部分がフランジ上の開口部内に位置するときにフランジの底面の下に延在する。
【０００８】
本発明の一実施形態では、取り外し可能なハンドルは、取り外し可能なハンドルを確実に定位置で保持するのを助けると同時に、容易な取り外しを可能にするための係止機構を用いて、取付点に接続する。
【０００９】
取り外し可能なハンドルを確実に定位置で保持するのを助けると同時に容易な取り外しを可能にする係止機構は、係止解除位置から係止位置へと水平方向に移動可能な細長い係止バーを備え、係止位置では、係止バーの端部は、取付点のフランジの底面の下方に位置してフランジの底面と接触し、細長い係止バーは係止位置へと付勢される。
【００１０】
細長い係止バーを係止解除位置から係止位置へと水平方向に移動させるための手段は、アクチュエータを備え、アクチュエータは、アクチュエータの偶発的な動きを防止し、かつ調理器具容器上の取付点からの取り外し可能なハンドルの偶発的な離脱を防止するために、ユーザの親指を自然に置いた位置から離れて配置される。アクチュエータのトリガ部は、ユーザの指との係合を可能にするようなサイズおよび形状を有する。アクチュエータ上のトリガ部は、ユーザの手が調理器具容器に近づき過ぎるのを防止するのに十分な高さを有する。
【００１１】
取り外し可能なハンドルは、スペースを節約し、係合されたときに容器と確実にかつ強固に接続するために使用され得る。
【００１２】
取り外し可能なハンドルは多用途性を提供する。つまり、該調理器具容器は、ハンドルを取り外すことができることにより、ユーザはテーブル上および冷蔵庫内における表面積を節約することができるため、食事作りおよび食事の提供または貯蔵の両方に使用され得る。
【００１３】
別の実施形態では、調理器具容器上の取付点への取り外し可能な取り付けのための取り外し可能なハンドルは、細長いハンドル部を備え、細長いハンドル部は、第１の端部および第２の端部を有する。ハンドル部の第１の端部には、調理器具容器上の取付点への取り外し可能な取付手段、および取り外し可能なハンドルを取付点に係止するための係止手段がある。調理器具容器上の取付点は、調理器具容器の側壁に取り付けられた垂下部と、垂下部の上縁部にあり、調理器具容器の側壁から外側に向かって延在するフランジとを有するブラケットを備える。中央に位置する非円形開口部は、フランジを貫通して設けられる。開口部は、ハンドル上の取り外し可能な取付手段と係合するようなサイズおよび形状を有する。取付点への取り外し可能な取付手段は、上面ならびに底面および第１の端部ならびに第２の端部を有する水平本体部を備える。第１の端部に隣接する本体部の底面には、本体部の厚肉部分がある。厚肉部分は、フランジ上の非円形開口部とぴったり合うようなサイズおよび形状を有する。水平タブ部は、本体部の厚肉部分から外側に延在して、厚肉本体部分がフランジ上の非円形開口部内に位置するときに調理器具容器に向かってフランジの底面の下に延在する。取り外し可能なハンドルを取付点に係止するための係止手段には、係止解除位置から係止位置へと水平方向に移動可能な細長い係止バーが設けられ、係止バーの端部はフランジの底面の下方に位置し、フランジの底面と接触する。
【００１４】
本発明の別の実施形態は、取り外し可能なハンドルを備える調理器具容器を提供する。一実施形態は、調理器具容器のセット内の調理器具容器を提供し、取り外し可能なハンドルは、セット内のさまざまなサイズおよび重量の調理器具容器に接続するようにサイズ設定され、適合される。この実施形態において、調理器具容器は、積み重ね可能な調理器具容器のセットのうちの１つである。調理器具容器は、ベース部と、ベース部から延びる周辺側壁とを含み、取り外し可能なハンドルは、調理器具容器上の取付点への取り外し可能な取り付けに適合されている。調理器具容器上の取付点は、調理器具容器の側壁に取り付けられた垂下部と、垂下部の上縁部にあり、調理器具容器の側壁から外側に延在するフランジと、を有するブラケットを備える。フランジを貫通して中央に位置する非円形開口部が設けられ、前記開口部は、ハンドル上の取り外し可能な取付手段と係合するようなサイズおよび形状を有し、前記開口部は、細長い形状であり、全体的に、取り外し可能なハンドルの長手方向軸が細長いハンドル部の長手方向軸に対して垂直である。取り外し可能なハンドルは、第１および第２の端部を有する細長いハンドル部を備える。ハンドル部の第１の端部には、調理器具容器上の取付点への取り外し可能な取付手段と、取り外し可能なハンドルを取付点に係止するための係止手段がある。取付点への取り外し可能な取付手段は、上面ならびに底面および第１の端部ならびに第２の端部を有する水平本体部を備える。第１の端部に隣接する本体部の底面には、本体部の垂下厚肉部分がある。厚肉部分は、フランジ上の非円形開口部とぴったりと合うようなサイズおよび形状を有し、水平本体部の周囲の底面はフランジの上面に対して配置され、水平タブ部が本体部の厚肉部分の底面から外側に延在し、厚肉本体部分がフランジの非円形開口部内に位置するときに調理器具容器に向かってフランジの底面の下に延在する。取り外し可能なハンドルを取付点に係止するための係止手段は、係止解除位置から、係止バーの端部がフランジの底面の下方に位置し、底部と接触する係止位置へとアクチュエータによって水平方向に移動可能である細長い係止バーを備える。一実施形態は、係止位置へと付勢される取り外し可能なハンドル上に細長い係止バーを提供する。一実施形態は、ユーザの指との係合を可能にするようなサイズおよび形状を有し、アクチュエータの偶発的なトリガを防止し、かつ調理器具容器上の取付点からの取り外し可能なハンドルの偶発的な離脱を防止するために、細長い係止バーの底面のユーザの親指を自然に置いた位置の外側に配置され、細長いハンドル部の下に垂下するアクチュエータも提供する。
【００１５】
本発明のさらなる特徴は、以下の詳細な説明の中で説明される、または明らかになるであろう。
【００１６】
本発明をより明確に理解できるように、本発明の好適な実施形態を、添付図面を参照しながら、例として詳細に説明する。
【図面の簡単な説明】
【００１７】
【図１】容器の取付点に接続され係合された、本発明に係る取り外し可能なハンドルの一実施形態の概略斜視図である。
【図２】図１の取り外し可能なハンドルおよび取付点の組立図である。
【図３】図１に示されている取り外し可能なハンドルおよび取付点の上面図である。
【図４】図３の線Ａ−Ａに沿った取り外し可能なハンドルおよび取付点の断面図である。
【図５】図３の取り外し可能なハンドルおよび取付点の正面図である。
【図６】図３の取り外し可能なハンドルおよび取付点の右側面図である。
【図７】図３の取り外し可能なハンドルおよび取付点の底面斜視図である。
【図８】本発明に係る、調理器具容器へ接続するように意図されたより堅牢な取り外し可能なハンドルおよびブラケットの形態の取付点の組立図である。
【図９】取付点に接続された図８の取り外し可能なハンドルの上面図である。
【図１０】図９の線Ａ−Ａに沿った取り外し可能なハンドルおよび取付点の断面図である。
【００１８】
同様の参照番号は、異なる図面において同様の構成要素を示すために使用されている。
【発明を実施するための形態】
【００１９】
図１を参照すると、本発明に係る１組の容器内の１つの調理器具容器に取り付けられた状態で示された取り外し可能なハンドルの一実施形態は、全体が１で示されている。図示されている実施形態の取り外し可能なハンドル１は、対応する調理器具のサイズ範囲に応じて変化し得る長さおよび幅を有する細長いハンドル部２を備える。細長いハンドル部２は、第１の端部５および第２の端部６を有する。図示されている実施形態は、ハンドル部２が第１の端部５から第２の端部６まで真っ直ぐな形で示されているが、端から端までわずかに湾曲していてもよい。細長いハンドル部２の第１の端部５には、対応する調理器具容器４上の取付点３に対する取り外し可能な取付手段（全体が２Ａで示されている）、および取り外し可能なハンドル１を取付点３に係止するための係止手段がある。
【００２０】
調理器具容器４上の取付点３は、調理器具容器４の側壁７に取り付けられた垂下部１０と、垂下部１０の上縁部９にあり、調理器具容器４の側壁７から外側に延在するフランジ８とを有するブラケット３０から成る。中央に位置する非円形開口部１１は、フランジ８を貫通して設けられる。図示されている実施形態の開口部１１は、細長い形状であり、全体的に長手方向軸が細長いハンドル部の長手方向軸に対して垂直であり、調理器具容器４の側壁７に対して略平行であるように配向される。開口部１１は、ハンドル上の取り外し可能な取付手段と係合するようなサイズおよび形状を有する。
【００２１】
図２、図３、および図３の線Ａ−Ａに沿った取り外し可能なハンドルおよび取付点の断面図である図４を参照すると、対応する調理器具容器４上の取付点３への取り外し可能な取付手段２Ａ、および取り外し可能なハンドルをハンドル部２の第１の端部５に隣接して位置する取付点に係止するための係止手段がある。取付点３への取り外し可能な取付手段２Ａは、上面１３ならびに底面１４および第１の端部１５ならびに第２の端部１６を有する水平本体部１２を備える。
【００２２】
第１の端部１５に隣接する本体部１２の底面１４には、本体部１２の厚肉部分１７があり、前記厚肉部分１７は、フランジ８上の開口部１１とぴったりと合うようなサイズおよび形状を有し、図示されている実施形態では、フランジ８の底面１８の下方に延在する。第１の端部１５、厚肉部分１７、および開口部１１の幅は、取付点に対する取り外し可能なハンドルの任意の揺れ、左右の揺動、または意図しない横方向の動きを最小限に抑えるようなサイズおよび形状を有する。図示されている実施形態では、細長い開口部１１の長さは幅の約２倍であり、細長い開口部１１は丸い角部を有し、本体部１２の第１の端部１５および厚肉部分１７の幅はフランジ８の幅より狭い。厚肉部分１７の水平断面は、フランジ８の開口部１１の中にぴったりと収まるように、開口部１１と同じ形状を有し、開口部１１よりもわずかに小さい。水平タブ部１９は、本体部１２の厚肉部分１７の底面１４に隣接する本体部１２の第１の端部１５から外側に延在して、厚肉本体部分１７がフランジ８上の開口部１１内に位置するときに、調理器具容器４に向かってフランジ８の底面１８の下に延在する。
【００２３】
図２を参照すると、本体部１２の第２の端部１６には、取り外し可能なハンドルを取付点３に係止するための係止手段（全体が２Ｂで示されている）を収容するための開口部２１を有する垂下ガイドフランジ２０がある。取り外し可能なハンドルを取付点３に係止するための係止手段２Ｂは、細長い係止バー２２を備え、係止バー２２は、係止解除位置から、係止バー２２の端部２３がフランジ８の底面１８の下方に位置し、フランジ８の底面１８と接触する係止位置へと、ガイドフランジ２０内の開口部２１を通って水平方向に移動可能である。図４に最もわかりやすく示されているように、ハンドル部２内の軸方向チャネル３１により、細長い係止バー２２は係止解除位置から係止位置へと水平方向に移動することが可能になる。チャネル３１の端部に位置するばね２４は、細長い係止バー２２を係止位置へと付勢する。
【００２４】
アクチュエータ２５は、細長い係止バー２２の底面に位置し、ハンドル部２の下に垂下することにより、アクチュエータ２５を引き戻して細長い係止バー２２を係止解除位置へと移動させ、取り外し可能なハンドル１を取り外すことができるようになっている。アクチュエータ２５は、アクチュエータ２５の偶発的な動きを防止し、かつ調理器具容器４上の取付点３からの取り外し可能なハンドル１の偶発的な離脱を防止するために、ユーザの親指を自然に置いた位置から離れて細長いハンドルの底部に配置される。アクチュエータ２５を引き戻すことができるように、ハンドル部２の底面には、軸方向チャネル３１と連通する係止バースロット２２Ａがある。ステム２６は、細長い係止バー２２から下方に、ハンドル部２の底面の係止バースロット２２Ａを貫通して延在している。ステム２６の遠位端２７には、ユーザの指と係合することができるようなサイズおよび形状のトリガ部２８がある。アクチュエータ上のトリガ部２８は、ユーザの手が調理器具容器４に近づき過ぎるのを防止するのに十分な高さを有する。
【００２５】
取付点３への取り外し可能な取付手段２Ａは、任意の適切な手段によってハンドル部２に締結される。図示されている実施形態では、タブ３２は、水平本体部１２の第２の端部１６から外側に延在し、ハンドル部２の第１の端部５内の対応するサイズのスロット２９に収まるようなサイズおよび形状を有する（図４を参照）。タブ３２は、任意の好適な締結具または接着剤によってスロット２９内に固定される。
【００２６】
フランジ８内の開口部１１および本体部１２の厚肉部分１７は、確実な接続を形成するようなサイズおよび形状を有する必要がある。図示されている実施形態では、上述したように、本体部１２の第１の端部１５および厚肉部分１７の幅は、フランジ８の幅よりも狭い。厚肉部分１７の水平断面は、フランジ８内の開口部１１の中にぴったりと収まるように、開口部１１と同じ形状を有し、開口部１１よりもわずかに小さい。取り外し可能なハンドル１を取付点３に取り付けるために、水平タブ部１９および本体部１２の厚肉部分１７は、水平タブ部１９がフランジ８の底面１８の下に延在するように、傾斜してフランジ８上の開口部１１へと挿入される。同時に、アクチュエータ２５のトリガ部２８は、本体部１２の底面がフランジ８の上面に接触することができるように、引き戻される。フランジ８の底面の下に水平タブ部１９を有する取り外し可能なハンドル１は、本体部１２の厚肉部分１７が開口部１１の中にぴったりと配置された状態で、上側本体部１２がフランジ８の上面に載るように、下げられる。トリガ部２８は、その後、外され、細長い係止バー２２は、係止バースロット２２Ａの端部２２Ｂに対してアクチュエータ２５が止まった状態で、ロック解除位置から、フランジ８の底面の下の係止位置へのばね付勢によって水平方向に移動する。
【００２７】
ハンドル１は、フランジ８の下の係止位置から係止解除位置へと細長い係止バー２２を引くアクチュエータ２５のトリガ部２８を引くことによって、容器４から外される。図示されている実施形態では、ハンドル１は、その後、水平タブ部１９および本体部１２の厚肉部分１７がフランジ８上の開口部１１から外れるように傾斜して上方へ持ち上げられる。この実施形態では、トリガ部２８は引き戻されるが、ハンドル１が上向きに傾斜していなければ、ハンドル１は外れない。これは、この実施形態では、容器４を持ち上げている間に確実にハンドル１が偶発的に外れることがないようにするための安全機能である。
【００２８】
図示されている実施形態では、水平本体部１２、細長い係止バー２２、およびブラケット３０は、ステンレス鋼から製造される。アクチュエータおよび細長いハンドル部２は、非熱伝導性材料、例えば、ベークライト（登録商標）のような高温ナイロンから製造される。
【００２９】
図８〜図１０を参照すると、全体が１００で示され、より大きな調理器具との使用に潜在的に適応した少しロバストな設計を有する、本発明に係る取り外し可能なハンドルの別の実施形態が示されている。図示されている実施形態の取り外し可能なハンドル１００は、対応する調理器具のサイズ範囲に応じて変化し得る長さおよび幅を有する細長いハンドル部１０２を備える。細長いハンドル部１０２は、第１の端部１０５および第２の端部１０６を有する。図示されている実施形態は、ハンドル部１０２が第１の端部１０５から第２の端部１０６まで真っ直ぐな形で示されているが、端から端までわずかに湾曲していてもよい。細長いハンドル部１０２の第１の端部１０５には、対応する調理器具容器（図示せず）上の取付点１０３に対する取り外し可能な取付手段、および取り外し可能なハンドル１００を取付点１０３に係止するための係止手段がある。
【００３０】
調理器具容器上の取付点１０３は、調理器具容器の側壁に取り付けられた垂下部１１０と、垂下部１１０の上縁部１０９にあり、調理器具容器の側壁から外側に延在するフランジ１０８とを有するブラケット１３０を備える。中央に位置する非円形開口部１１１は、フランジ１０８を貫通して設けられる。図示されている実施形態の開口部１１１は、細長い形状であり、全体的に長手方向軸が細長いハンドル部の長手方向軸に対して垂直であり、調理器具容器の側壁に対して略平行であるように配向される。開口部１１１は、ハンドル上の取り外し可能な取付手段と係合するようなサイズおよび形状を有する。
【００３１】
図９および図９の線Ａ−Ａに沿った取り外し可能なハンドルおよび取付点の断面図である図１０を参照すると、対応する調理器具容器上の取付点１０３への取り外し可能な取付手段（全体が１０２Ａで示されている）、および取り外し可能なハンドルをハンドル部１０２の第１の端部１０５に隣接して位置する取付点１０３に係止するための係止手段（全体が１０２Ｂで示されている）がある。取付点１０３への取り外し可能な取付手段１０２Ａは、上面１１３ならびに底面１１４および第１の端部１１５ならびに第２の端部１１６を有する水平本体部１１２を備える。水平本体部の底面１１４は、開口部１１１へのより滑らかな進入のための面取り縁１１４Ａを有する。
【００３２】
第１の端部１１５に隣接する本体部１１２の底面１１４には、本体部１１２の厚肉部分１１７があり、前記厚肉部分１１７は、フランジ１０８上の開口部１１とぴったりと合うようなサイズおよび形状を有し、図示されている実施形態では、フランジ１０８の底面１１８の下方に延在し、開口部１１１へのより滑らかな進入のための面取り縁１１７Ａを有する。第１の端部１１５、厚肉部分１１７、および開口部１１１の幅は、取付点に対する取り外し可能なハンドルの任意の揺れ、左右の揺動、または意図しない横方向の動きを最小限に抑えるようなサイズおよび形状を有する。図示されている実施形態では、細長い開口部１１１の長さは幅の約２倍であり、細長い開口部１１１は丸い角部を有し、本体部１１２の第１の端部１１５および厚肉部分１１７の幅はフランジ１０８の幅より狭い。厚肉部分１１７の水平断面は、フランジ１０８の開口部１１１の中にぴったりと収まるように、開口部１１と同じ形状を有し、開口部１１１よりもわずかに小さい。水平タブ部１１９は、本体部１１２の厚肉部分１１７の底面１１４に隣接する本体部１１２の第１の端部１１５から外側に延在して、厚肉本体部分１１７がフランジ１０８上の開口部１１１内に位置するときに、調理器具容器に向かってフランジ１０８の底面１１８の下に延在する。水平タブ部１１９は、開口部１１１へのより滑らかな進入のための面取り縁１１９Ａを有する。
【００３３】
図８および図１０を参照すると、本体部１１２の第２の端部１１６には、取り外し可能なハンドルを取付点１０３に係止するための係止手段１０２Ｂを収容するための開口部１２１を有する垂下ガイドフランジ１２０がある。取り外し可能なハンドルを取付点１０３に係止するための係止手段１０２Ｂは、細長い係止バー１２２を備え、係止バー１２２は、係止解除位置から、係止バー１２２の端部１２３がフランジ１０８の底面１１８の下方に位置し、フランジ１０８の底面１１８と接触する係止位置へと、ガイドフランジ１２０内の開口部１２１を通って水平方向に移動可能である。図１０に最もわかりやすく示されているように、ハンドル部１０２内の軸方向チャネル１３１により、細長い係止バー１２２は係止解除位置から係止位置へと水平方向に移動することが可能になる。チャネル１３１の端部に位置するばね１２４は、細長い係止バー１２２を係止位置へと付勢する。
【００３４】
アクチュエータ１２５は、細長い係止バー１２２の底面に位置し、ハンドル部１０２の下に垂下することにより、アクチュエータ１２５を引き戻して細長い係止バー１２２を係止解除位置へと移動させ、取り外し可能なハンドル１００を取り外すことができるようになっている。アクチュエータ１２５を引き戻すことができるように、ハンドル部１０２の底面には、軸方向チャネル１３１と連通する係止バースロット１２２Ａがある。ステム１２６は、細長い係止バー１２２から下方に、ハンドル部１０２の底面の係止バースロット１２２Ａを貫通して延在している。ステム１２６の遠位端１２７には、ユーザの指と係合することができるようなサイズおよび形状のトリガ部１２８がある。
【００３５】
取付点への取り外し可能な取付手段は、任意の適切な手段によってハンドル部１０２に締結される。図示されている実施形態では、タブ１３２は、水平本体部１１２の第２の端部１１６から外側に延在し、ハンドル部１０２の第１の端部１０５の対応するサイズのスロット１２９に収まるようなサイズおよび形状を有する（図１０を参照）。タブ１３２は、任意の好適な締結具または接着剤によってスロット１２９内に固定される。図示されている実施形態では、２つの締結具１３３、１３４は、タブ１３２をスロット１２９内で保持する。
【００３６】
フランジ１０８内の開口部１１１および本体部１１２の厚肉部分１１７は、確実な接続を形成するようなサイズおよび形状を有する必要がある。図示されている実施形態では、上述したように、本体部１１２の第１の端部１１５および厚肉部分１１７の幅は、フランジ１０８の幅よりも狭い。厚肉部分１１７の水平断面は、フランジ１０８内の開口部１１１の中にぴったりと収まるように、開口部１１と同じ形状を有し、開口部１１１よりもわずかに小さい。取り外し可能なハンドル１００を取付点１０３に取り付けるために、水平タブ部１１９および本体部１１２の厚肉部分１１７は、水平タブ部１１９がフランジ１０８の底面１１８の下に延在するように、傾斜してフランジ１０８上の開口部１１１へと挿入される。同時に、アクチュエータ１２５のトリガ部１２８は、本体部１１２の底面がフランジ１０８の上面に接触することができるように、引き戻される。フランジ１０８の底面の下に水平タブ部１１９を有する取り外し可能なハンドル１００は、本体部１１２の厚肉部分１１７が開口部１１１の中にぴったりと配置された状態で、上側本体部１１２がフランジ１０８の上面に載るように、下げられる。トリガ部１２８は、その後、外され、細長い係止バー１２２は、ロック解除位置から、フランジ１０８の底面の下の係止位置へのばね付勢によって水平方向に移動する。
【００３７】
ハンドル１００は、フランジ１０８の下の係止位置から係止解除位置へと細長い係止バー１２２を引くアクチュエータ１２５のトリガ部１２８を引くことによって、容器から外される。ハンドル１００は、その後、水平タブ部１１９および本体部１１２の厚肉部分１１７がフランジ１０８上の開口部１１１から外れるように傾斜して上方へ持ち上げられる。
【００３８】
図示されている実施形態では、水平本体部１１２、細長い係止バー１２２、およびブラケット１３０は、ステンレス鋼から製造される。アクチュエータおよび細長いハンドル部１０２は、非熱伝導性材料、例えば、ベークライト（登録商標）のような高温ナイロンから製造される。
【００３９】
特定の実施形態に関連して本発明の原理が示され、説明されているが、そのような実施形態は、上述の説明から明らかなように、一例であって、限定的なものではなく、本発明の特定の態様は、図面に示されている特定の詳細によって制限されるものではないことを理解されたい。他の修正および応用、または均等物が、当業者に想起されるであろう。上述の明細書内で使用される「有する」、「備える」ならびに「含む」および類似の用語は、「随意選択の」または「を含み得る」という意味で使用され、「必須の」の意味として使用されていない。しかしながら、本発明の構成の多くの変更、修正、変形および他の用途ならびに応用は、本明細書および添付図面を考察した後に当業者に明らかになるであろう。本発明の精神および範囲から逸脱しない全てのそのような変更、修正、変形および他の用途および応用は、以下の請求項によってのみ限定される本発明によって網羅されるものとみなす。本開示の範囲は、本明細書内で示されている実施形態に限定されることを意図するものではなく、単数形の要素の言及は、特に明記されていない限り、「１つおよび唯一の」の意味を指すのではなく、むしろ「１つまたは複数」の意味を示すものとする。当業者に周知のまたは後に知られるようになる、本開示全体を通して記載されている実施形態の要素の全ての構造的および機能的均等物は、参照によって本明細書に明確に組み込まれ、請求項によって包含されるものとする。
【手続補正２】
【補正対象書類名】特許請求の範囲
【補正対象項目名】全文
【補正方法】変更
【補正の内容】
【特許請求の範囲】
【請求項１】
取り外し可能なハンドルを備える調理器具容器であって、
ａ）前記調理器具容器は、ベース部および前記ベース部から延びる周辺側壁を有し、前記取り外し可能なハンドルは、前記調理器具容器上の取付点への取り外し可能な取り付けに適合されており、前記調理器具容器上の前記取付点は、前記調理器具容器の前記側壁に取り付けられた垂下部と、前記垂下部の上縁部にあり、前記調理器具容器の前記側壁から外側に延在するフランジとを有するブラケットを備え、前記フランジを貫通して中央に位置する非円形開口部が設けられ、前記開口部は、前記ハンドル上の取り外し可能な取付手段と係合するようなサイズおよび形状を有し、前記開口部は、細長い形状であり、全体的に、取り外し可能なハンドルの長手方向軸が細長いハンドル部の長手方向軸に対して垂直であり、
ｂ）前記取り外し可能なハンドルは、第１および第２の端部を有する前記細長いハンドル部を備え、前記ハンドル部の前記第１の端部には、前記調理器具容器上の前記取付点への取り外し可能な取付手段と、前記取り外し可能なハンドルを前記取付点に係止するための係止手段があり、
ｉ）前記取付点への前記取り外し可能な取付手段は、上面ならびに底面および第１の端部ならびに第２の端部を有する水平本体部を備え、前記第１の端部に隣接する前記本体部の前記底面には、前記本体部の下垂厚肉部分があり、前記厚肉部分は、前記フランジ上の前記非円形開口部とぴったりと合うようなサイズおよび形状を有し、前記水平本体部の周囲の底面はフランジの上面に対して配置され、水平タブ部が前記本体部の前記厚肉部分の底面から外側に延在し、前記厚肉本体部分が前記フランジの前記非円形開口部内に位置するときに前記調理器具容器に向かって前記フランジの底面の下に延在し、
ｉｉ）前記取り外し可能なハンドルを前記取付点に係止するための前記係止手段は、係止解除位置から、前記係止バーの端部が前記フランジの前記底面の下方に位置し、前記底部と接触する係止位置へとアクチュエータによって水平方向に移動可能である細長い係止バーを備える、調理器具容器。
【請求項２】
前記調理器具容器は、調理器具容器のセット内の１つであって、
前記取り外し可能なハンドルは、前記セット内のさまざまなサイズおよび重量の調理器具容器に接続するようにサイズ設定され、適合される、請求項１に記載の調理器具容器。
【請求項３】
前記調理器具容器のセットは、積み重ね可能である、請求項２に記載の調理器具容器。
【請求項４】
前記取り外し可能なハンドル上の前記細長い係止バーは、前記係止位置へと付勢される、請求項１または請求項２に記載の調理器具容器。
【請求項５】
前記アクチュエータは、ユーザの指との係合を可能にするようなサイズおよび形状を有し、前記アクチュエータの偶発的なトリガを防止し、かつ前記調理器具容器上の前記取付点からの前記取り外し可能なハンドルの偶発的な離脱を防止するために、前記細長い係止バーの底面のユーザの親指を自然に置いた位置の外側に配置され、前記細長いハンドル部の下に垂下する、請求項１〜請求項４のいずれか一項に記載の調理器具容器。
【請求項６】
前記細長い係止バーは、前記細長い係止バーに接続された前記アクチュエータによって作動されたときに、前記ハンドル部内の軸方向チャネル内で移動可能である、請求項１〜請求項５のいずれか一項に記載の調理器具容器。
【請求項７】
ステムが、前記軸方向チャネルと連通し前記アクチュエータに接続される前記細長いハンドル部の前記底面の係止バースロットを貫通して、前記細長いロックバーから垂下する、請求項６に記載の調理器具容器。
【請求項８】
前記アクチュエータ上のトリガ部は、ユーザの指が前記調理器具容器に近づき過ぎるのを防止するのに十分な高さを有する、請求項７に記載の調理器具容器。
【請求項９】
前記細長いハンドル部は、前記第１の端部から前記第２の端部まで真っ直ぐである、請求項１〜請求項８のいずれか一項に記載の調理器具容器。
【請求項１０】
前記細長いハンドル部は、その長さに沿って湾曲している、請求項１〜請求項８のいずれか一項に記載の調理器具容器。
【請求項１１】
本体部タブは、前記水平本体部の前記第２の端部から外側に延在し、前記ハンドル部の前記第１の端部の対応するサイズのスロットに合うようなサイズおよび形状を有し、単純な締結具または複数のねじを用いて、固定される、請求項１〜請求項１０のいずれか一項に記載の調理器具容器。
【請求項１２】
前記水平本体部の前記底面は、面取り縁を有する、請求項１〜請求項１１のいずれか一項に記載の調理器具容器。
【請求項１３】
前記水平体部の前記厚肉本体部分の前記底面は、面取り縁を有する、請求項１〜請求項１２のいずれか一項に記載の調理器具容器。
【請求項１４】
前記水平本体部の前記水平タブの前記底面は、面取り縁を有する、請求項１〜請求項１３のいずれか一項に記載の調理器具容器。
【請求項１５】
前記細長いハンドル部は、耐熱伝導性材料から製造される、請求項１〜請求項１４のいずれか一項に記載の調理器具容器。
【請求項１６】
前記細長いハンドル部は、高温ナイロンから製造される、請求項１５に記載の調理器具容器。
【請求項１７】
前記アクチュエータは、高温ナイロンで構成される、請求項１〜請求項１６のいずれか一項に記載の調理器具容器。
【請求項１８】
前記ステムは、ステンレス鋼で構成される、請求項１７に記載の調理器具容器。
【請求項１９】
前記細長い係止バーは、ステンレス鋼で構成される、請求項１〜請求項１８のいずれか一項に記載の調理器具容器。
【請求項２０】
前記水平本体部は、ステンレス鋼で構成される、請求項１〜請求項１９のいずれか一項に記載の調理器具容器。
【請求項２１】
前記フランジは、ステンレス鋼で構成される、請求項１〜請求項２０のいずれか一項に記載の調理器具容器。
【請求項２２】
請求項１に記載の調理器具容器と共に使用するための取り外し可能なハンドルであって、前記調理器具容器が調理器具容器のセット内の１つであり、前記取り外し可能なハンドルが、前記セット内のさまざまなサイズおよび重量の調理器具容器に接続するようにサイズ設定され、適合される、取り外し可能なハンドル。
【国際調査報告】
2021520966.tif 000013
2021520966.tif 000014
2021520966.tif 000015